(57)【要約】      （修正有）【課題】特別な装置や通信機器を別途用意することなく検査を正確に行うことが可能な視標呈示装置を提供する。【解決手段】視標呈示装置１は、表示部４０と画像信号生成部２０と制御部３０とを備える。表示部には、第１の偏光軸を有する光を出力する左眼用視標表示領域と、第１の偏光軸に直交する第２の偏光軸を有する光を出力する右眼用視標表示領域とが、ピクセルのラインに沿って交互に配置されている。画像信号生成部は、偏光部材を用いた視力検査のための視標に応じて当該視標の画像データに当該視標に対応する表示の明るさを示す情報を合成することにより画像信号を生成する。制御部は、生成された画像信号を解析することにより前記情報の有無を判定し、前記画像データに対応する当該視標を前記左眼用視標表示領域及び前記右眼用視標表示領域の少なくとも一方に表示させ、かつ、前記情報の有無の判定結果に基づいて当該視標の表示の明るさを増大させる。【選択図】図１
2018069088.tif 000002
【特許請求の範囲】
【請求項１】
第１の偏光軸を有する光を出力する左眼用視標表示領域と、前記第１の偏光軸に直交する第２の偏光軸を有する光を出力する右眼用視標表示領域とが、ピクセルのラインに沿って交互に配置された表示部と、
偏光部材を用いた視力検査のための視標に応じて当該視標の画像データに当該視標に対応する表示の明るさを示す情報を合成することにより画像信号を生成する画像信号生成部と、
生成された画像信号を解析することにより前記情報の有無を判定し、前記画像データに対応する当該視標を前記左眼用視標表示領域及び前記右眼用視標表示領域の少なくとも一方に表示させ、かつ、前記情報の有無の判定結果に基づいて当該視標の表示の明るさを増大させる制御部と
を備える、視標呈示装置。
【請求項２】
前記表示部は、視標を描画する描画部と、前記描画部の背後に設けられたバックライト部とを有し、
前記制御部は、前記バックライト部の発光強度を変更することにより当該視標の表示の明るさの制御を行う
ことを特徴とする請求項１に記載の視標呈示装置。
【請求項３】
視標の種別と当該視標の表示の明るさとが関連付けられた第１関連情報をあらかじめ記憶する第１記憶部と、
ユーザが視標を指定するための操作部と
を更に備え、
前記画像信号生成部は、前記操作部を用いて指定された視標の種別に関連付けられた表示の明るさを前記第１関連情報に基づき特定し、特定された表示の明るさを示す情報を当該視標の画像データに合成することにより画像信号を生成する
ことを特徴とする請求項１又は請求項２に記載の視標呈示装置。
【請求項４】
検査の種別と表示の明るさとが関連付けられた第２関連情報をあらかじめ記憶する第２記憶部を更に備え、
前記画像信号生成部は、あらかじめ指定された検査の種別に関連付けられた表示の明るさを前記第２関連情報に基づき特定し、特定された表示の明るさを示す情報を含む画像信号を生成する
ことを特徴とする請求項１〜請求項３のいずれか一項に記載の視標呈示装置。
【発明の詳細な説明】
【技術分野】
【０００１】
この発明は、眼科分野で用いられる視標呈示装置に関する。
【背景技術】
【０００２】
視標呈示装置は、被検眼の検査を行うための視標を呈示する装置である。特許文献１には、偏光軸が直交する偏光フィルムをピクセルのライン毎に交互に配置してなる表示デバイスと、これら偏光フィルタに応じた偏光軸を有し眼前に配置される偏光フィルタとを用いることにより、左右眼に異なる視標を呈示するよう構成された視標呈示装置が記載されている。この視標呈示装置によれば、左右眼に異なる視標を呈示して両眼視機能検査や両眼開放の片眼検査を行うことができる。
【先行技術文献】
【特許文献】
【０００３】
【特許文献１】特開２００９−２０７５６９号公報
【発明の概要】
【発明が解決しようとする課題】
【０００４】
このような視標呈示装置においては、表示デバイスの表示領域（ピクセル）を左眼用視標表示領域と右眼用視標表示領域とに分割して使用するので、被検者が各眼で認識する視標の明るさが半減してしまう。また、被検者は偏光フィルタを介して視標を視認するので、各被検眼に呈示される視標の明るさは更に低減することとなる。つまり、このような視標呈示装置によれば、通常よりも暗い視標を用いて検査を行うこととなるため、検査を正確に行えない可能性がある。
【０００５】
この発明は、このような問題を解決するためになされたものであり、その目的は、特別な装置や通信機器を別途用意することなく検査を正確に行うことが可能な視標呈示装置を提供することにある。
【課題を解決するための手段】
【０００６】
実施形態の視標呈示装置は、表示部と画像信号生成部と制御部とを備える。表示部には、第１の偏光軸を有する光を出力する左眼用視標表示領域と、第１の偏光軸に直交する第２の偏光軸を有する光を出力する右眼用視標表示領域とが、ピクセルのラインに沿って交互に配置されている。画像信号生成部は、偏光部材を用いた視力検査のための視標に応じて当該視標の画像データに当該視標に対応する表示の明るさを示す情報を合成することにより画像信号を生成する。制御部は、生成された画像信号を解析することにより前記情報の有無を判定し、前記画像データに対応する当該視標を左眼用視標表示領域及び右眼用視標表示領域の少なくとも一方に表示させ、かつ、前記情報の有無の判定結果に基づいて当該視標の表示の明るさを増大させる。
【発明の効果】
【０００７】
この発明に係る視標呈示装置によれば、特別な装置や通信機器を別途用意することなく被検眼の検査を正確に行うことが可能である。
【図面の簡単な説明】
【０００８】
【図１】実施形態に係る視標呈示装置の構成の一例を示す概略ブロック図である。
【図２】実施形態に係る視標呈示装置の構成の一例を示す概略図である。
【図３】実施形態に係る視標呈示装置の構成の一例を示す概略図である。
【図４】実施形態に係る視標呈示装置の動作の一例を示すフローチャートである。
【図５】実施形態に係る視標呈示装置の構成の一例を示す概略図である。
【図６】実施形態に係る視標呈示装置の構成の一例を示す概略図である。
【図７】実施形態に係る視標呈示装置の動作の一例を示すフローチャートである。
【図８】実施形態に係る視標呈示装置の動作の一例を示すフローチャートである。
【図９】実施形態に係る視標呈示装置の動作の一例を示すフローチャートである。
【図１０】実施形態に係る視標呈示装置の構成の一例を示す概略図である。
【図１１】実施形態に係る視標呈示装置の動作の一例を示すフローチャートである。
【図１２】実施形態に係る視標呈示装置の構成の一例を示す概略図である。
【図１３】実施形態に係る視標呈示装置の動作の一例を示すフローチャートである。
【図１４】実施形態に係る視標呈示装置の動作の一例を示すフローチャートである。
【図１５】実施形態に係る視標呈示装置の構成の一例を示す概略図である。
【図１６】実施形態に係る視標呈示装置の動作の一例を示すフローチャートである。
【図１７】実施形態に係る視標呈示装置の構成の一例を示す概略図である。
【図１８】実施形態に係る視標呈示装置の動作の一例を示すフローチャートである。
【発明を実施するための形態】
【０００９】
この発明に係る視標呈示装置の実施形態の例について、図面を参照しながら詳細に説明する。以下、第１〜第８の実施形態を順次説明する。各実施形態は、特許文献１と同様のハードウェア構成を有していてもよい。特許文献１に記載された任意の事項を以下の実施形態に援用することが可能である。
【００１０】
〈実施形態の概要〉
第１〜第８の実施形態について簡単に説明しておく。第１〜第７の実施形態では、所定の情報に基づいて視標の表示輝度を変更する場合について説明する。ここで、表示輝度とは、視標を表示する表示デバイスによる表示の明るさを意味する。
【００１１】
第１〜第５の実施形態では、呈示される視標の種別に応じて視標の表示輝度を変更する場合について説明する。第１の実施形態では、表示輝度を示す情報（表示輝度情報）を、呈示される視標の画像信号（視標呈示用画像信号）に埋め込むことにより、当該視標の表示輝度を変更する場合について説明する。
【００１２】
第２及び第３の実施形態では、視標呈示用画像信号とは別の画像信号（表示輝度変更用画像信号）を用いて表示輝度の変更を行う場合について説明する。第２の実施形態では、表示輝度変更用画像信号の入力時間に応じて表示輝度を変更する場合について説明する。第３の実施形態では、表示輝度変更用画像信号の種別に応じて表示輝度を変更する場合について説明する。
【００１３】
第４及び第５の実施形態では、画像信号以外の信号（表示輝度変更信号）を用いて表示輝度を変更する場合について説明する。第４の実施形態では、ユーザからの指示を受け付ける操作デバイス（リモートコントローラー等）から表示デバイスに表示輝度変更信号を送信する場合について説明する。第５の実施形態では、操作デバイスから操作信号を受けた装置から表示デバイスに表示輝度変更信号を送信する場合について説明する。この装置は、たとえば、視標呈示用画像信号を生成する機能を有する装置である。
【００１４】
第６及び第７の実施形態では、視標の種別以外の情報に基づいて表示輝度を変更する場合について説明する。第６の実施形態では、被検眼に対して行われる検査の種別に応じて表示輝度を変更する場合について説明する。第７の実施形態では、被検眼に対する光学部材（偏光部材）の適用の有無に応じて表示輝度を変更する場合について説明する。
【００１５】
第８の実施形態では、第１〜第７の実施形態のように表示輝度を変更する代わりに、減光フィルタを用いることによって、被検者が視認する視標の明るさを変更する場合について説明する。減光フィルタの使用／不使用は、視標の種別、検査の種別、又は被検眼に対する偏光部材の適用の有無に基づいて決定される。
【００１６】
なお、第１〜第８の実施形態はそれぞれ独立にのみ適用可能な訳ではなく、これらのうちの任意の２つ以上を組み合わせることが可能である。たとえば、表示輝度を変更する第１〜第７の実施形態のうちの２つ以上を組み合わせることができる。また、第１〜第７の実施形態のうちの１つ以上と、第８の実施形態とを組み合わせることができる。
【００１７】
〈第１の実施形態〉
第１の実施形態に係る視標呈示装置は、呈示される視標の種別に応じて視標の表示輝度を変更するものであり、特に、表示輝度情報を視標呈示用画像信号に埋め込むことにより表示輝度を変更するように構成される。
【００１８】
［構成］
この実施形態に係る視標呈示装置の構成例を図１〜図３に示す。視標呈示装置１は、操作部１０と、画像信号生成部２０と、制御部３０と、表示部４０とを有する。画像信号生成部２０には、記憶部２１が設けられている。制御部３０には、信号解析部３１と、描画制御部３２と、バックライト制御部３３とが設けられている。表示部４０には、偏光部４１と、描画部４２と、バックライト部４３とが設けられている。
【００１９】
なお、視標呈示装置１は、被検者の左右の被検眼に対して光学部材を適用する光学部（図示せず）を含んでいてもよい。この光学部材には、左被検眼に対して適用される左眼用偏光部材と、右被検眼に適用される右眼用偏光部材とが含まれる。左眼用偏光部材の偏光軸は、偏光部４１における後述の左眼用視標表示領域の偏光軸（第１の偏光軸）に対して実質的に平行とされる。同様に、右眼用偏光部材の偏光軸は、偏光部４１における後述の右眼用視標表示領域の偏光軸（第２の偏光軸）に対して実質的に平行とされる。ここで、第１の偏光軸と第２の偏光軸とは実質的に平行とされている。光学部は、偏光部材以外の光学部材を被検眼に対して適用できるように構成されていてもよい。その具体例として、光学部は、回転可能なターレット板に複数の光学部材を装着することで、複数の光学部材を選択的に適用できるように構成されている。また、光学部は、左眼用偏光部材と右眼用偏光部材とが枠入れされた眼鏡フレームであってもよい。
【００２０】
［操作部］
操作部１０は、視標呈示装置１を操作するために使用される。操作部１０には、各種のボタンやスイッチが設けられている。ボタン等は、ハードウェアキーであってもよいし、ソフトウェアキー（グラフィックユーザインターフェイス、ＧＵＩ）であってもよい。ユーザによる操作を受けた操作部１０は、その操作内容に応じた信号（操作信号）を出力する。この操作信号の通信方式は、有線通信でも無線通信でもよい。
【００２１】
具体例として、操作部１０には、各種の視標に対応するボタンが設けられている。ユーザは、所望のボタンを操作することにより、視標呈示装置１に表示させる視標を指定することができる。この操作を受けた操作部１０は、指定された視標の種別を示す操作信号を画像信号生成部２０に送る。
【００２２】
なお、操作部１０により行うことが可能な操作は、視標の指定には限定されない。操作部１０により実施可能な操作の例としては、視標呈示装置１の電源オン／オフ操作、被検眼に対して行う検査の種別の指定操作、上記光学部が被検眼に適用する光学部材の選択操作、表示部４０の表示状態の変更操作などがある。
【００２３】
［画像信号生成部］
画像信号生成部２０は、表示部４０に各種情報を表示させるための画像信号を生成する。特に、画像信号生成部２０は、表示部４０に視標を表示させるための画像信号（視標呈示用画像信号）を生成する。この実施形態の視標呈示用画像信号には、その視標に対応する表示輝度を示す表示輝度情報が含まれる。
【００２４】
このような処理を行うために、画像信号生成部２０の記憶部２１には、視標呈示装置１により呈示可能な各種視標の画像データがあらかじめ記憶されている。各視標の画像データは、視標の種別に関連付けられて記憶されている。また、記憶部２１には、視標の種別と表示輝度とが関連付けられた視標／表示輝度関連情報があらかじめ記憶されている。視標／表示輝度関連情報は、たとえば図２に示すようなテーブル情報である。つまり、図２に示す視標／表示輝度関連情報２１ａは、視標呈示装置１によって呈示可能な視標の種別Ｃｉ（ｉ＝１〜ｎ）に対して表示輝度Ｌｉを対応付けたテーブル情報として構成されている。
【００２５】
ここで、視標／表示輝度関連情報２１ａに記録されている表示輝度の値を任意に変更できるように構成してもよい。一方、表示輝度の値を変更しない構成を適用する場合などにおいては、当該視標の表示輝度を示す表示輝度情報を当該視標の画像データにあらかじめ合成しておくことができる。この場合には、後述する画像データと視標輝度情報との合成処理を行う必要はない。
【００２６】
視標／表示輝度関連情報２１ａは、呈示可能な全ての視標種別に関する表示輝度を記録したものである必要はない。たとえば、所定の表示輝度（デフォルト値等）で呈示される視標については、その表示輝度を記録しておく必要はない。また、たとえば２つ（以上）の表示輝度のみが適用される場合には、複数の視標種別（たとえば全ての視標種別）をこれら２つ（以上）の表示輝度に分類して記録した情報であってもよい。
【００２７】
画像信号生成部２０は、指定された視標の種別を示す操作信号を操作部１０から受けると、この操作信号が示す視標種別に対応する視標の画像データを記憶部２１から選択的に読み出す。更に、画像信号生成部２０は、この操作信号が示す視標種別に対応する表示輝度を、視標／表示輝度関連情報２１ａを参照して特定する。そして、画像信号生成部２０は、特定された表示輝度を示す表示輝度情報を、記憶部２１から読み出した視標の画像データに合成する。それにより、表示輝度情報を含む視標呈示用画像信号が生成される。
【００２８】
表示輝度情報を含む視標呈示用画像信号の例を説明する。視標呈示用画像信号の一部に空白領域が存在する場合、その空白領域の少なくとも一部に相当する画素の画素値を、表示輝度情報として構成することができる。ここで、空白領域とは、視標パターンを構成する領域（画素）以外の領域（画素）、換言すると、視標パターンの背景領域である。たとえば視標／表示輝度関連情報２１ａに示す表示輝度の値が複数種類存在する場合には、その表示輝度の値に応じて画素値の値を設定することにより、表示輝度情報を含む視標呈示用画像信号を生成することができる。また、表示輝度の値に応じた個数の画素に対して所定の画素値を割り当てることにより、表示輝度情報を含む視標呈示用画像信号を生成することもできる。また、空白領域内において所定の画素値を付与する画素の位置を、表示輝度の値に応じて決定することにより、表示輝度情報を含む視標呈示用画像信号を生成することもできる。この例においては、空白領域の画素値に基づいて当該視標の表示輝度が設定されることとなる。
【００２９】
この実施形態の視標呈示用画像信号は必ずしも表示輝度情報を含んでいなくてもよい。たとえば、視標／表示輝度関連情報２１ａに示す表示輝度の値が２種類（通常輝度、高輝度）しかない場合において、低輝度呈示の視標の場合には表示輝度情報を含めずに視標呈示用画像信号を生成し、高輝度呈示の視標の場合には表示輝度情報を含めて視標呈示用画像信号を生成するように構成することができる。この例においては、表示輝度情報の有無に応じて当該視標の表示輝度が設定されることとなる。
【００３０】
［制御部］
制御部３０には、画像信号生成部２０により生成された視標呈示用画像信号が入力される。制御部３０の信号解析部３１は、視標呈示用画像信号を解析して表示輝度情報を抽出する（或いは、表示輝度情報の有無を判定する）。信号解析部３１は、抽出された表示輝度情報（或いは、表示輝度情報の有無を示す情報）をバックライト制御部３３に送る。バックライト制御部３３は、信号解析部３１から入力された情報に基づいて、表示部４０のバックライト部４３を制御することで、この表示輝度情報に示す表示輝度を実現する（或いは、表示輝度の有無に応じた表示輝度を実現する）。
【００３１】
また、描画制御部３２は、この視標呈示用画像信号に基づいて表示部４０の描画部４２を制御することにより、当該視標のパターンを描画させる。描画制御部３２とバックライト制御部３３は、たとえば上記処理を並行して行う。
【００３２】
制御部３０の少なくとも一部を表示デバイスに設けることができる。その場合、この表示デバイスは、制御部３０の少なくとも一部と、表示部４０とを含んで構成される。たとえば、制御部３０全体を表示デバイスに設ける場合、信号解析部３１はスケーラーを含んで構成される。
【００３３】
［表示部］
表示部４０は、たとえば液晶ディスプレイ（ＬＣＤ）、有機ＥＬディスプレイ等を含んで構成される。描画部４２は、描画制御部３２による制御を受けて、視標を含む各種情報を描画する。描画部４２には、縦横にアレイ状に配列された複数のピクセル（画素）が設けられている。バックライト部４３は、描画部４２を背面側から照明する。偏光部４１は、描画部４２の前面側に設けられている。
【００３４】
図３は、描画部４２と偏光部４１を前面側から見た場合の概略図である。図示は省略するが、描画部４２は、上記したように、アレイ状に配列された複数のピクセルを含んで構成されている。偏光部４１は、第１の偏光軸を有する光を選択的に透過させる第１の偏光領域４１ａと、この第１の偏光軸に直交する第２の偏光軸を有する光を選択的に透過させる第２の偏光領域４１ｂとにより構成される。第１の偏光領域４１ａ及び第２の偏光領域４１ｂは、描画部４２のピクセルの横ラインに沿った形状を有し、縦ライン方向に交互に配置されている。第１の偏光領域４１ａ及び第２の偏光領域４１ｂは、それぞれ、たとえば偏光フィルムによって構成される。なお、偏光方式は、直線偏光をそのまま用いてもよいし、直線偏光に変換する部材の後段に１／４波長板を設けて円偏光を生成してこれを用いるようにしてもよい。
【００３５】
第１の偏光領域及び第２の偏光領域は、描画部４２のピクセルの縦ラインに沿った形状を有し、かつ横ライン方向に交互に配置されるように構成されていてもよい。また、各偏光領域の幅は１ピクセル相当分である必要はなく、たとえば２ピクセル分の幅であってもよい。
【００３６】
第１の偏光領域４１ａが設けられた表示領域は、第１の偏光軸を有する光を出力する左眼用視標表示領域の一例として機能する。同様に、第２の偏光領域４１ｂが設けられた表示領域は、第２の偏光軸を有する光を出力する右眼用視標表示領域の一例として機能する。なお、表示部４０の構成は従来のものと同様である。
【００３７】
［動作］
この実施形態に係る視標呈示装置１の動作について説明する。視標呈示装置１の動作例を図４に示す。
【００３８】
（Ｓ１：視標の指定）
まず、ユーザは、操作部１０を用いて視標を指定する。操作部１０は、指定された視標の種別を示す操作信号を画像信号生成部２０に送る。
【００３９】
（Ｓ２：画像信号の生成）
画像信号生成部２０は、操作部１０から入力された操作信号に基づいて、この操作信号が示す視標の種別に対応する視標呈示用画像信号を生成する。この視標呈示用画像信号には、この視標種別に対応する表示輝度を示す表示輝度情報が含まれている。画像信号生成部２０は、生成された視標呈示用画像信号を制御部３０に送る。
【００４０】
（Ｓ３：画像信号の解析）
信号解析部３１は、画像信号生成部２０から入力された視標呈示用画像信号を解析して表示輝度情報を抽出する（或いは、表示輝度情報の有無を判定する）。信号解析部３１は、抽出された表示輝度情報（或いは、表示輝度情報の有無を示す情報）をバックライト制御部３３に送る。
【００４１】
（Ｓ４：表示輝度の変更）
バックライト制御部３３は、信号解析部３１から入力された情報に基づいてバックライト部４３を制御することにより、表示部４０の表示輝度を変更する。
【００４２】
（Ｓ５：視標の描画）
ステップ３及びステップ４と並行して、描画制御部３２は、画像信号生成部２０から入力された視標呈示用画像信号に基づいて表示部４０の描画部４２を制御することにより、当該視標のパターンを描画させる。
【００４３】
以上で、この動作例による視標の表示輝度の変更処理は終了となる。ユーザは、このようにして呈示された視標を用いて被検眼の検査を実施する。
【００４４】
ここで、表示輝度が高く設定される視標（高輝度呈示視標）の具体例及びそれを用いた視力検査について説明する。この実施形態に係る視標呈示装置１は、両眼開放状態での視力検査に用いられる。この視力検査は片眼検査でも両眼検査でもよい。
【００４５】
両眼開放状態での片眼検査においては、検査対象の片眼にのみ視標を認識させるために、左眼用視標表示領域及び右眼用視標表示領域のうち一方のみが使用される。具体的には、両眼開放状態で左被検眼の片眼検査を行う場合には、右眼用視標表示領域を用いることなく、左眼用視標表示領域にのみ視標を表示させる。逆に、両眼開放状態で右被検眼の片眼検査を行う場合には、左眼用視標表示領域を用いることなく、右眼用視標表示領域にのみ視標を表示させる。つまり、左眼用視標表示領域と右眼用視標表示領域は上記のようにピクセルのラインに沿って交互に設けられており、これら片眼検査ではピクセルが隔行で使用されるので、被検者が視認する視標の明るさが半減する。
【００４６】
このような片眼検査で用いられる高輝度呈示視標には次のものがある。この実施形態では、たとえば、以下に列挙したような視標に対応する表示輝度を高く設定した視標／表示輝度関連情報２１ａを用いることができる。
・視力検査視標（ランドルト環）
・視力検査視標（Ｅ文字。Ｅチャートとも呼ばれる。）
・視力検査視標（アルファベット。スネレン視標とも呼ばれる。）
・視力検査視標（ひらがな、カタカナ）
・視力検査視標（数字）
・小児用視力検査視標（図形）
・字詰まり型視力検査視標（ランドルト環。視力値の増加とともにキャラクタの間隔が狭くなるもの。）
・字詰まり型視力検査指標（アルファベット。同上。）
・赤緑検査視標（レッド・グリーン検査視標とも呼ばれる。）
・放射型乱視検査視標
・乱視検査用点群視標
【００４７】
一方、両眼検査においては、両眼に同時に視標が呈示される。特に、両眼に異なる視標が呈示される場合（同種の視標であっても異なる像が呈示される場合）には、左眼用視標表示領域と右眼用視標表示領域が上記のように構成されているため、左被検眼及び右被検眼で視認する各視標の明るさが半減する。
【００４８】
このような両眼検査で用いられる高輝度呈示視標には次のものがある。この実施形態では、たとえば、以下に列挙したような視標に対応する表示輝度を高く設定した視標／表示輝度関連情報２１ａを用いることができる。
・偏光赤緑バランス検査視標
・偏光バランス検査視標（ランドルト環）
・偏光バランス検査視標（アルファベット）
・偏光バランス検査視標（ひらがな、カタカナ）
・偏光十字視標
・偏光固視点付き十字視標
・偏光固視点付き回旋十字視標
・偏光不等像視視標（垂直方向切り込み型）
・偏光不等像視視標（水平方向切り込み型）
・偏光立体視視標（複数の三角形がアレイ状に配列されたもの）
・偏光立体視視標（中心点の上下に２本の垂直線分がそれぞれ配置されたもの）
・偏光立体視視標（矩形状の枠に複数本の垂直線分が配置されたもの）
【００４９】
［効果］
この実施形態に係る視標呈示装置１の効果について説明する。
【００５０】
視標呈示装置１は、制御部３０と表示部４０とを含んで構成される。表示部４０には、左眼用視標表示領域と右眼用視標表示領域とがピクセルのラインに沿って交互に配置されている。左眼用視標表示領域は、第１の偏光軸を有する光を出力する。右眼用視標表示領域は、第１の偏光軸に直交する第２の偏光軸を有する光を出力する。制御部３０は、表示部４０に複数の視標を選択的に表示させることが可能とされている。更に、制御部３０は、表示部４０に表示させる視標の種別に基づき表示部４０を制御することにより表示輝度を変更する。
【００５１】
このような視標呈示装置１によれば、左眼用の視標と右眼用の視標とを、その視標の種別に応じた好適な明るさ（表示輝度）で呈示させることができる。よって、被検眼の検査を正確に行うことが可能である。また、視標を呈示させるための画像信号を用いて表示輝度の変更を実現することが可能であるから、特別な装置や通信機器を別途用意する必要がないという利点もある。
【００５２】
視標呈示装置１は、画像信号生成部２０を更に有していてもよい。画像信号生成部２０は、視標を表示させるための画像信号であって、その視標に対応する表示輝度を示す表示輝度情報を含む画像信号（視標呈示用画像信号）を生成する。制御部３０は、生成された視標呈示用画像信号に基づいて視標の表示を行い、かつ、この視標呈示用画像信号に含まれる表示輝度情報に基づいて表示輝度の変更を行うように構成される。
【００５３】
視標呈示装置１は、表示部４０に表示させる視標の種別を指定する操作部１０を更に有していてもよい。この場合の操作部１０は「視標種別指定部」の一例として機能する。画像信号生成部２０は、操作部１０を用いて指定された視標種別に対応する画像信号を生成するように構成される。
【００５４】
表示部４０は、たとえば、視標を描画する描画部４２と、その背後に設けられたバックライト部４３とを含んで構成される。制御部３０は、バックライト部４３の発光強度を変更することにより表示輝度の変更を行うように構成される。
【００５５】
表示部４０の左眼用視標表示領域は、たとえば、第１の偏光軸を有する光を透過させる偏光フィルムを設けることにより形成される。同様に、右眼用視標表示領域は、たとえば、第１の偏光軸に直交する第２の偏光軸を有する光を透過させる偏光フィルムを設けることにより形成される。
【００５６】
〈第２の実施形態〉
第２の実施形態に係る視標呈示装置は、視標呈示用画像信号とは別の画像信号（表示輝度変更用画像信号）を用いて表示輝度の変更を行うものであり、特に、表示輝度変更用画像信号の入力時間に応じて表示輝度を変更するように構成される。以下、第１の実施形態の構成や符号を準用して説明する。
【００５７】
［構成］
この実施形態に係る視標呈示装置１は、第１の実施形態と同様の構成を有する（図１及び図３を参照）。ただし、画像信号生成部２０及び制御部３０の動作内容については、第１の実施形態と異なる。
【００５８】
この実施形態の画像信号生成部２０は、視標を表示させるための第１の画像信号（視標呈示用画像信号）と、表示輝度を示す表示輝度情報を含む第２の画像信号（表示輝度変更用画像信号）とを生成する。特に、画像信号生成部２０は、操作部１０による視標種別の指定結果を受けて、この視標種別の視標パターンを示す視標呈示用画像信号を生成し、かつ、この視標種別に対応する表示輝度を示す視標輝度変更用画像信号を生成する。
【００５９】
この処理を行うためのデータとして、記憶部２１には、第１の実施形態と同様に、視標種別と視標の画像データとが関連付けられた情報（視標関連情報）があらかじめ記憶されている。更に、記憶部２１には、視標の種別と、制御部３０に対する表示輝度変更用画像信号の入力時間とが関連付けられた視標／入力時間関連情報があらかじめ記憶されている。視標／入力時間関連情報は、たとえば図５に示すようなテーブル情報である。つまり、図５に示す視標／入力時間関連情報２１ｂは、視標呈示装置１によって呈示可能な視標の種別Ｃｉ（ｉ＝１〜ｎ）に対して入力時間Ｔｉを対応付けたテーブル情報として構成されている。
【００６０】
視標呈示用画像信号を生成する処理は、指定された視標種別に対応する画像データを視標関連情報に基づき特定することによって行われる。また、表示輝度変更用画像信号を生成する処理は、指定された視標種別に対応する入力時間を視標／入力時間関連情報２１ｂに基づき特定することによって行われる。なお、表示輝度変更用画像信号は、所定のパターンを有する。たとえば、あらかじめ決められたピクセルの画素値を他のピクセルの画素値と異なる値に設定した画像信号を、表示輝度変更用画像信号として用いることができる。画像信号生成部２０は、生成された表示輝度変更用画像信号を、特定された入力時間だけ制御部３０に入力する。
【００６１】
制御部３０の描画制御部３２は、画像信号生成部２０により生成された視標呈示用画像信号にもとづいて表示部４０の描画部４２を制御することにより、指定された視標のパターンを描画させる。
【００６２】
また、バックライト制御部３３は、画像信号生成部２０から入力された表示輝度変更用画像信号に基づいてバックライト部４３を制御することにより表示輝度の変更を行う。より具体的には、バックライト制御部３３は、画像信号生成部２０から表示輝度変更用画像信号の入力を受けた時間に基づいて表示輝度の変更を行う。
【００６３】
そのための処理として、バックライト制御部３３は、表示輝度変更用画像信号の入力を所定時間継続して受けたことに対応して表示輝度の変更を行う。この処理は、たとえば２つの表示輝度を交互に切り替える場合や、３つ以上の表示輝度を巡回的に切り替える場合などに用いることができる。なお、この処理を適用する場合には、視標／入力時間関連情報２１ｂを用いる必要はなく、たとえば、画像信号生成部２０が表示輝度変更用画像信号を所定時間だけ出力するように構成すればよい。また、表示輝度変更用画像信号の入力を所定時間継続して受けたか否か判断する処理は、タイマーを有する信号解析部３１又はバックライト制御部３３によって行われる。たとえば、表示輝度変更用画像信号の入力開始とともにタイマーによる所定時間の計時を開始し、この計時が所定時間に達するまでの間に表示輝度変更用画像信号の入力が終了したか否か判定することにより、入力が所定時間継続されたか否か判断することができる。なお、入力時間の計時（及びそれに基づく判断）を信号解析部３１が行う場合には、信号解析部３１からバックライト制御部３３に計時結果（又は判断結果）を送るように構成される。
【００６４】
他の処理として、バックライト制御部３３は、表示輝度変更用画像信号の入力を継続して受けた時間の長さに対応する変更量だけ表示輝度を変更する。この処理を適用する場合、バックライト制御部３３は、入力時間と表示輝度とが関連付けられた入力時間／表示輝度関連情報をあらかじめ記憶している。入力時間／表示輝度関連情報は、たとえば図６に示すようなテーブル情報である。つまり、図６に示す入力時間／表示輝度関連情報３３ａは、図５に示す視標／入力時間関連情報２１ｂに対応して作成された情報であり、画像信号生成部２０から制御部３０への表示輝度変更用画像信号の入力時間Ｔｉ（ｉ＝１〜ｎ）に対して表示輝度Ｌｉを対応付けたテーブル情報として構成されている。バックライト制御部３３は、入力時間／表示輝度関連情報３３ａを参照することで、画像信号生成部２０からの表示輝度変更用画像信号の入力時間に対応する表示輝度を特定する。なお、入力時間の計時は、信号解析部３１又はバックライト制御部３３に設けられたタイマーによって行われる。なお、入力時間の計時を信号解析部３１が行う場合、信号解析部３１からバックライト制御部３３に計時結果を送るように構成される。
【００６５】
［動作］
この実施形態に係る視標呈示装置１の動作について説明する。視標呈示装置１の動作例を図７及び図８に示す。図７に示す第１の動作例は、表示輝度変更用画像信号の入力を所定時間継続して受けたことに対応して表示輝度の変更を行うものである。また、図８に示す第２の動作例は、表示輝度変更用画像信号の入力を継続して受けた時間の長さに対応する変更量だけ表示輝度を変更するものである。
【００６６】
［第１の動作例］
（Ｓ１１：視標の指定）
ユーザが操作部１０を用いて視標を指定すると、操作部１０は、指定された視標の種別を示す操作信号を画像信号生成部２０に送る。
【００６７】
（Ｓ１２：視標呈示用画像信号の生成）
画像信号生成部２０は、操作部１０から入力された操作信号に基づいて、この操作信号が示す視標の種別に対応する視標呈示用画像信号を生成する。画像信号生成部２０は、生成された視標呈示用画像信号を制御部３０に送る。
【００６８】
（Ｓ１３：表示輝度変更用画像信号の生成）
画像信号生成部２０は、操作部１０から入力された操作信号に基づいて、この操作信号が示す視標の種別に対応する表示輝度変更用画像信号を生成する。画像信号生成部２０は、生成された視標呈示用画像信号を制御部３０に送る。なお、視標呈示用画像信号の生成処理と表示輝度変更用画像信号の生成処理については、これらを並行して行なってもよいし、一方を行った後に他方を行なってもよい。
【００６９】
（Ｓ１４：入力時間は所定時間に達したか？）
信号解析部３１又はバックライト制御部３３は、画像信号生成部２０からの表示輝度変更用画像信号の入力時間が所定時間に達したか判断する。
【００７０】
（Ｓ１５：表示輝度の変更）
表示輝度変更用画像信号の入力時間が所定時間に達したと判断された場合（Ｓ１４：Ｙｅｓ）、バックライト制御部３３は、バックライト部４３を制御して表示部４０の表示輝度を変更する。一方、入力時間が所定時間に達しないと判断された場合（Ｓ１４：Ｎｏ）、表示輝度の変更は行わない。
【００７１】
（Ｓ１６：視標の描画）
描画制御部３２は、画像信号生成部２０から入力された視標呈示用画像信号に基づいて描画部４２を制御することにより、当該視標のパターンを描画させる。
【００７２】
以上で、この動作例による視標の表示輝度の変更処理は終了となる。ユーザは、このようにして呈示された視標を用いて被検眼の検査を実施する。
【００７３】
［第２の動作例］
（Ｓ２１：視標の指定）
ユーザが操作部１０を用いて視標を指定すると、操作部１０は、指定された視標の種別を示す操作信号を画像信号生成部２０に送る。
【００７４】
（Ｓ２２：視標呈示用画像信号の生成）
画像信号生成部２０は、操作部１０から入力された操作信号に基づいて、この操作信号が示す視標の種別に対応する視標呈示用画像信号を生成する。画像信号生成部２０は、生成された視標呈示用画像信号を制御部３０に送る。
【００７５】
（Ｓ２３：表示輝度変更用画像信号の生成）
画像信号生成部２０は、操作部１０から入力された操作信号に基づいて、この操作信号が示す視標の種別に対応する表示輝度変更用画像信号を生成する。画像信号生成部２０は、生成された視標呈示用画像信号を、視標／入力時間関連情報２１ｂに基づき特定された入力時間だけ制御部３０に入力する。なお、視標呈示用画像信号の生成処理と表示輝度変更用画像信号の生成処理については、これらを並行して行なってもよいし、一方を行った後に他方を行なってもよい。
【００７６】
（Ｓ２４：表示輝度の特定）
信号解析部３１又はバックライト制御部３３は、画像信号生成部２０からの表示輝度変更用画像信号の入力時間に対応する表示輝度を、入力時間／表示輝度関連情報３３ａに基づいて特定する。
【００７７】
（Ｓ２５：表示輝度の変更）
バックライト制御部３３は、ステップ２４で特定された表示輝度に基づきバックライト部４３を制御することで、表示部４０の表示輝度を特定された表示輝度に変更する。
【００７８】
（Ｓ２６：視標の描画）
描画制御部３２は、画像信号生成部２０から入力された視標呈示用画像信号に基づいて描画部４２を制御することにより、当該視標のパターンを描画させる。
【００７９】
以上で、この動作例による視標の表示輝度の変更処理は終了となる。ユーザは、このようにして呈示された視標を用いて被検眼の検査を実施する。
【００８０】
［効果］
この実施形態に係る視標呈示装置１の効果について説明する。なお、この実施形態は、第１の実施形態と同様の構成要素及びそれらの組み合わせを含むが、これらは第１の実施形態と同様の効果を奏する（第３の実施形態以降においても同様である）。
【００８１】
この実施形態の画像信号生成部２０は、表示輝度情報を含む視標呈示用画像信号を生成する第１の実施形態と異なり、視標呈示用画像信号及び表示輝度変更用画像信号の２種類の画像信号を別々に生成する。そして、制御部３０は、生成された視標呈示用画像信号に基づいて表示部４０に視標を表示させ、かつ、表示輝度変更用画像信号に基づいて表示部４０の表示輝度を変更する。
【００８２】
このような視標呈示装置１によれば、左眼用の視標と右眼用の視標とを、その視標の種別に応じた好適な明るさ（表示輝度）で呈示させることができる。よって、被検眼の検査を正確に行うことが可能である。
【００８３】
制御部３０が表示輝度変更用画像信号の入力時間に基づいて表示輝度の変更を行うように構成することができる。その具体例として、制御部３０は、表示輝度変更用画像信号の入力を所定時間継続して受けたことに対応して表示輝度の変更を行うことができる。また、制御部３０は、表示輝度変更用画像信号の入力を継続して受けた時間の長さに対応する変更量だけ表示輝度を変更することができる。
【００８４】
なお、図７に示す動作例では、表示輝度変更用画像信号の入力を所定時間継続して受けたことに対応して表示輝度の変更を行っている。これに対し、入力が所定時間継続された場合と、継続されなかった場合とで、異なる処理を行うように構成することができる。たとえば、表示輝度を高輝度と低輝度との間で切り替え可能な構成において、入力が所定時間継続された場合には表示輝度を高輝度に切り替え、継続されなかった場合には低輝度に切り替えるように制御を行うことが可能である。
【００８５】
視標呈示装置１は、表示部４０に表示させる視標の種別を指定する操作部１０を更に有していてもよい。この場合の操作部１０は「視標種別指定部」の一例として機能する。画像信号生成部２０は、操作部１０を用いて指定された視標種別に対応する画像信号を生成するように構成される。
【００８６】
〈第３の実施形態〉
第３の実施形態に係る視標呈示装置は、視標呈示用画像信号とは別の画像信号（表示輝度変更用画像信号）を用いて表示輝度の変更を行うものであり、特に、表示輝度変更用画像信号の種別に応じて表示輝度を変更するように構成される。以下、第１及び第２の実施形態の構成や符号を準用して説明する。
【００８７】
［構成］
この実施形態に係る視標呈示装置１は、第１の実施形態と同様の構成を有する（図１〜図３を参照）。ただし、画像信号生成部２０及び制御部３０の動作内容については、第１及び第２の実施形態と異なる。
【００８８】
この実施形態の画像信号生成部２０は、第２の実施形態と同様に、視標呈示用画像信号と表示輝度変更用画像信号とを別々に生成する。特に、画像信号生成部２０は、操作部１０による視標種別の指定結果を受けて、この視標種別の視標パターンを示す視標呈示用画像信号を生成し、かつ、この視標種別に対応する表示輝度を示す視標輝度変更用画像信号を生成する。
【００８９】
この処理を行うためのデータとして、記憶部２１には、視標種別と視標の画像データとが関連付けられた視標関連情報と、視標／表示輝度関連情報２１ａとがあらかじめ記憶されている。視標／表示輝度関連情報２１ａは、たとえば第１の実施形態と同様の構成を有する（図２を参照）。
【００９０】
視標呈示用画像信号を生成する処理は、指定された視標種別に対応する画像データを視標関連情報に基づき特定することによって行われる。
【００９１】
表示輝度変更用画像信号を生成する処理は、指定された視標種別に対応する表示輝度を視標／表示輝度関連情報２１ａに基づき特定することによって行われる。それにより、視標種別に応じて異なる種別の表示輝度変更用画像信号が生成される。つまり、表示輝度変更用画像信号は、特定された表示輝度の値に応じたパターンを有する。たとえば、あらかじめ決められたピクセルの画素値を表示輝度の値に応じて決定することで、表示輝度変更用画像信号を生成することができる。また、表示輝度の値に基づいてピクセル（アドレス）を決定し、そのピクセルの画素値を他のピクセルの画素値と異なる値に設定することで、表示輝度変更用画像信号を生成することができる。
【００９２】
制御部３０は、画像信号生成部２０により生成された視標呈示用画像信号に基づいて視標の表示を行い、かつ、表示輝度変更用画像信号の種別に基づいて表示輝度の変更を行う。たとえば、制御部３０は、表示輝度変更用画像信号の種別に対応する変更量だけ表示輝度を変更する。
【００９３】
この処理を行うために、信号解析部３１又はバックライト制御部３３には、表示輝度変更用画像信号の種別（所定のピクセルの画素値、ピクセルのアドレス等）と、表示輝度とが関連付けられた信号種別／表示輝度関連情報があらかじめ記憶されている。信号解析部３１又はバックライト制御部３３は、この信号種別／表示輝度関連情報を参照することで、表示輝度変更用画像信号の種別に対応する表示輝度を特定する。
【００９４】
［動作］
この実施形態に係る視標呈示装置１の動作について説明する。視標呈示装置１の動作例を図９に示す。
【００９５】
（Ｓ３１：視標の指定）
ユーザが操作部１０を用いて視標を指定すると、操作部１０は、指定された視標の種別を示す操作信号を画像信号生成部２０に送る。
【００９６】
（Ｓ３２：視標呈示用画像信号の生成）
画像信号生成部２０は、操作部１０から入力された操作信号に基づいて、この操作信号が示す視標の種別に対応する視標呈示用画像信号を生成する。画像信号生成部２０は、生成された視標呈示用画像信号を制御部３０に送る。
【００９７】
（Ｓ３３：表示輝度変更用画像信号の生成）
画像信号生成部２０は、操作部１０から入力された操作信号に基づいて、この操作信号が示す視標の種別に対応する表示輝度変更用画像信号を生成する。画像信号生成部２０は、生成された表示輝度変更用画像信号を制御部３０に送る。
【００９８】
（Ｓ３４：信号種別に対応する表示輝度の特定）
信号解析部３１又はバックライト制御部３３は、画像信号生成部２０から入力された表示輝度変更用画像信号の種別に対応する表示輝度を、信号種別／表示輝度関連情報に基づいて特定する。
【００９９】
（Ｓ３５：表示輝度の変更）
バックライト制御部３３は、ステップ３４で特定された表示輝度に基づきバックライト部４３を制御することで、表示部４０の表示輝度を特定された表示輝度に変更する。
【０１００】
（Ｓ３６：視標の描画）
描画制御部３２は、画像信号生成部２０から入力された視標呈示用画像信号に基づいて描画部４２を制御することにより、当該視標のパターンを描画させる。
【０１０１】
以上で、この動作例による視標の表示輝度の変更処理は終了となる。この処理により、指定された視標の種別に応じた変更量だけ表示輝度が変更される。ユーザは、このようにして呈示された視標を用いて被検眼の検査を実施する。
【０１０２】
［効果］
この実施形態に係る視標呈示装置１の効果について説明する。
【０１０３】
この実施形態の画像信号生成部２０は、視標呈示用画像信号及び表示輝度変更用画像信号の２種類の画像信号を別々に生成する。制御部３０は、生成された視標呈示用画像信号に基づいて表示部４０に視標を表示させ、かつ、表示輝度変更用画像信号に基づいて表示部４０の表示輝度を変更する。
【０１０４】
このような視標呈示装置１によれば、左眼用の視標と右眼用の視標とを、その視標の種別に応じた好適な明るさ（表示輝度）で呈示させることができる。よって、被検眼の検査を正確に行うことが可能である。
【０１０５】
画像信号生成部２０が、視標種別に応じた２以上の種別の表示輝度変更用画像信号を生成し、かつ、制御部３０が、生成された表示輝度変更用画像信号の種別に基づいて表示輝度の変更を行うように構成することができる。このとき、制御部３０は、表示輝度変更用画像信号の種別に対応する変更量だけ表示輝度を変更することができる。
【０１０６】
視標呈示装置１は、表示部４０に表示させる視標の種別を指定する操作部１０を更に有していてもよい。この場合の操作部１０は「視標種別指定部」の一例として機能する。画像信号生成部２０は、操作部１０を用いて指定された視標種別に対応する画像信号を生成するように構成される。
【０１０７】
〈第４の実施形態〉
第４の実施形態に係る視標呈示装置は、画像信号以外の信号（表示輝度変更信号）を用いて表示輝度を変更するものであり、ユーザからの指示を受け付ける操作デバイス（リモートコントローラー等）から表示デバイスに表示輝度変更信号を直接に送信するように構成される。
【０１０８】
［構成］
この実施形態に係る視標呈示装置の構成例を図１０に示す。この視標呈示装置１においては、制御部３０と表示部４０が表示デバイス５０に設けられている。表示デバイス５０としては、たとえば、液晶ディスプレイ等のフラットパネルディスプレイが用いられる。
【０１０９】
操作部１０はリモートコントローラーである。操作部１０は、第１の実施形態と同様に画像信号生成部２０に信号を送信する機能に加え、表示デバイス５０の受信部３４との間で通信を行う送信部１１を有している。通信方式は、有線通信でも無線通信でもよい。送信部２２は、操作部１０を用いて指定された視標種別に対応する表示輝度を示す表示輝度情報を含む信号（表示輝度変更信号）を送信する。受信部３４は、この表示輝度変更信号を受信する。
【０１１０】
指定された視標種別に対応する表示輝度情報を生成する処理は、第１の実施形態と同様にして行うことが可能である。この処理は、画像信号生成部２０が行なってもよいし、制御部３０が行なってもよい。前者の場合、画像信号生成部２０内のマイクロプロセッサーがこの処理を実行するように構成される。後者の場合、画像信号生成部２０は、操作部１０から入力された操作信号に基づいて視標種別を示す所定の情報を生成し、表示デバイス５０側においてこの視標種別に対応する表示輝度情報を生成するように構成される。前者の処理と後者の処理の相違は、指定された視標種別に対応する表示輝度情報を画像信号生成部２０が生成するか制御部３０が生成するかだけであり、これら処理は実質的に同一と言える。つまり、この実施形態は上記した双方の処理を含むものである。
【０１１１】
受信部３４は、受信した表示輝度変更信号をバックライト制御部３３に送る。バックライト制御部３３は、この表示輝度変更信号に基づき、第１の実施形態と同様にバックライト部４３を制御して表示輝度を変更する。一方、操作部１０は、指定された視標種別を示す操作信号を画像信号生成部２０に送る。画像信号生成部２０は、この操作信号が示す視標種別に対応する視標呈示用画像信号を生成して制御部３０に送る。描画制御部３２は、この視標呈示用画像信号に基づいて描画部４２を制御して当該視標のパターンを描画させる。
【０１１２】
［動作］
この実施形態に係る視標呈示装置１の動作について説明する。視標呈示装置１の動作例を図１１に示す。
【０１１３】
（Ｓ４１：視標の指定）
ユーザが操作部１０を用いて視標を指定すると、操作部１０は、指定された視標種別を示す操作信号を画像信号生成部２０に送る。
【０１１４】
（Ｓ４２：表示輝度変更信号の送信）
操作信号の送信と並行して（又は、これに前後して）、操作部１０は、指定された視標種別に対応する表示輝度情報を生成し、この表示輝度情報を含む表示輝度変更信号を送信部１１によって送信する。
【０１１５】
（Ｓ４３：表示輝度変更信号の受信）
制御部３０の受信部３４は、操作部１０から送信された表示輝度変更信号を受信する。信号解析部３１は、この表示輝度変更信号を解析して表示輝度情報を抽出する。
【０１１６】
（Ｓ４４：表示輝度の変更）
バックライト制御部３３は、信号解析部３１により抽出された表示輝度情報に基づいてバックライト部４３を制御することにより表示輝度を変更する。
【０１１７】
（Ｓ４５：視標呈示用画像信号の生成）
一方、画像信号生成部２０は、ステップ４１で操作部１０から送信された操作信号を受信し、この操作信号が示す視標種別に対応する視標呈示用画像信号を生成する。画像信号生成部２０は、生成された視標呈示用画像信号を制御部３０に送る。
【０１１８】
（Ｓ４６：視標の描画）
描画制御部３２は、画像信号生成部２０から入力された視標呈示用画像信号に基づいて描画部４２を制御することにより、当該視標のパターンを描画させる。
【０１１９】
以上で、この動作例による視標の表示輝度の変更処理は終了となる。この処理により、指定された視標の種別に応じた変更量だけ表示輝度が変更される。ユーザは、このようにして呈示された視標を用いて被検眼の検査を実施する。
【０１２０】
［効果］
この実施形態に係る視標呈示装置１の効果について説明する。
【０１２１】
視標呈示装置１は、表示部４０に表示させる視標の種別を指定するための操作部１０を有する。操作部１０は、指定された視標種別に対応する表示輝度を示す表示輝度情報を含む信号（表示輝度変更信号）を送信する送信部１１を有する。制御部３０は、送信部１１から送信された信号を受信する受信部３４を有する。更に、制御部３０は、受信部３４により受信された信号に基づいて表示部４０の表示輝度の変更を行い、かつ、指定された視標種別に対応する視標を表示部４０に表示させる。
【０１２２】
このような視標呈示装置１によれば、左眼用の視標と右眼用の視標とを、その視標の種別に応じた好適な明るさ（表示輝度）で呈示させることができる。よって、被検眼の検査を正確に行うことが可能である。
【０１２３】
〈第５の実施形態〉
第５の実施形態に係る視標呈示装置は、画像信号以外の信号（表示輝度変更信号）を用いて表示輝度を変更するものであり、操作デバイスから操作信号を受けた装置から表示デバイスに表示輝度変更信号を送信するように構成される。
【０１２４】
［構成］
この実施形態に係る視標呈示装置１の構成例を図１２に示す。この視標呈示装置１においては、第４の実施形態と同様に、制御部３０と表示部４０が表示デバイス５０に設けられている。
【０１２５】
画像信号生成部２０は、第１の実施形態と同様の記憶部２１に加え、表示デバイス５０の受信部３４との間で通信を行う送信部２２を有している。通信方式は、有線通信でも無線通信でもよい。無線通信としては、赤外線通信、無線ＬＡＮ、Ｂｌｕｅｔｏｏｔｈ（登録商標）等の任意の通信方式を用いることができる。送信部１１は、操作部１０を用いて指定された視標種別に対応する表示輝度を示す表示輝度情報を含む信号（表示輝度変更信号）を送信する。受信部３４は、この表示輝度変更信号を受信する。
【０１２６】
指定された視標種別に対応する表示輝度情報を生成する処理は、第１の実施形態と同様にして行うことが可能である。この処理は、操作部１０が行なってもよいし、制御部３０が行なってもよい。前者の場合、操作部１０内のマイクロプロセッサーがこの処理を実行するように構成される。後者の場合、操作部１０は、指定された視標種別を示す情報を生成し、表示デバイス５０側においてこの視標種別に対応する表示輝度情報を生成するように構成される。前者の処理と後者の処理の相違は、指定された視標種別に対応する表示輝度情報を操作部１０が生成するか制御部３０が生成するかだけであり、これら処理は実質的に同一と言える。つまり、この実施形態は上記した双方の処理を含むものである。
【０１２７】
受信部３４は、受信した表示輝度変更信号をバックライト制御部３３に送る。バックライト制御部３３は、この表示輝度変更信号に基づき、第１の実施形態と同様にバックライト部４３を制御して表示輝度を変更する。一方、操作部１０は、指定された視標種別を示す操作信号を画像信号生成部２０に送る。画像信号生成部２０は、この操作信号が示す視標種別に対応する視標呈示用画像信号を生成して制御部３０に送る。描画制御部３２は、この視標呈示用画像信号に基づいて描画部４２を制御して当該視標のパターンを描画させる。
【０１２８】
［動作］
この実施形態に係る視標呈示装置１の動作について説明する。視標呈示装置１の動作例を図１３に示す。
【０１２９】
（Ｓ５１：視標の指定）
ユーザが操作部１０を用いて視標を指定すると、操作部１０は、指定された視標種別を示す操作信号を画像信号生成部２０に送る。
【０１３０】
（Ｓ５２：表示輝度変更信号の送信）
画像信号生成部２０は、この操作信号に基づいて、指定された視標種別に対応する表示輝度情報を生成し、この表示輝度情報を含む表示輝度変更信号を送信部２２によって送信する。
【０１３１】
（Ｓ５３：表示輝度変更信号の受信）
制御部３０の受信部３４は、操作部１０から送信された表示輝度変更信号を受信する。信号解析部３１は、この表示輝度変更信号を解析して表示輝度情報を抽出する。
【０１３２】
（Ｓ５４：表示輝度の変更）
バックライト制御部３３は、信号解析部３１により抽出された表示輝度情報に基づいてバックライト部４３を制御することにより表示輝度を変更する。
【０１３３】
（Ｓ５５：視標呈示用画像信号の生成）
画像信号生成部２０は、表示輝度変更信号の送信（Ｓ５２）と並行して（又はこれと前後して）、操作部１０からの操作信号に示す視標種別に対応する視標呈示用画像信号を生成する。画像信号生成部２０は、生成された視標呈示用画像信号を制御部３０に送る。
【０１３４】
（Ｓ５６：視標の描画）
描画制御部３２は、画像信号生成部２０から入力された視標呈示用画像信号に基づいて描画部４２を制御することにより、当該視標のパターンを描画させる。
【０１３５】
以上で、この動作例による視標の表示輝度の変更処理は終了となる。この処理により、指定された視標の種別に応じた変更量だけ表示輝度が変更される。ユーザは、このようにして呈示された視標を用いて被検眼の検査を実施する。
【０１３６】
［効果］
この実施形態に係る視標呈示装置１の効果について説明する。
【０１３７】
視標呈示装置１は、表示部４０に表示させる視標の種別を指定するための操作部１０と、指定された種別の視標を表示させるための画像信号を生成する画像信号生成部２０とを有する。画像信号生成部２０は、指定された種別に対応する表示輝度を示す表示輝度情報を含む信号を送信する送信部２２を有する。制御部３０は、画像信号生成部２０から送信された信号を受信する受信部３４を有する。そして、制御部３０は、受信部３４により受信された信号に基づいて表示輝度の変更を行い、かつ、画像信号生成部２０により生成された画像信号に基づいて視標を表示させる。
【０１３８】
このような視標呈示装置１によれば、左眼用の視標と右眼用の視標とを、その視標の種別に応じた好適な明るさ（表示輝度）で呈示させることができる。よって、被検眼の検査を正確に行うことが可能である。
【０１３９】
〈第６の実施形態〉
第６の実施形態に係る視標呈示装置は、視標の種別以外の情報に基づいて表示輝度を変更するものであり、被検眼に対して行われる検査の種別に応じて表示輝度を変更するように構成される。
【０１４０】
視標を高輝度で表示させて行われる検査には次のようなものがある。まず、両眼開放状態で行われる片眼検査の例として、視力検査、赤緑検査（レッド・グリーン検査）、乱視検査、クロスシリンダー検査などがある。また、両眼検査の例として、偏光赤緑両眼バランス検査、偏光両眼バランス検査、偏光十字斜位検査、偏光固視ズレ検査、偏光回旋斜位検査、偏光不等像視検査、偏光立体視検査などがある。
【０１４１】
［構成］
この実施形態に係る視標呈示装置１は、たとえば第１の実施形態と同様の構成を有する。以下、図１を参照して説明する。操作部１０は、検査種別を指定するために用いられる。操作部１０は「検査種別指定部」の一例である。
【０１４２】
なお、術前術後検査や経過観察のように、過去と同じ検査を再度行う場合もある。その場合、当該患者の電子カルテ情報等を参照して検査種別を自動で指定することも可能である。この処理はたとえば制御部３０により行われる。健康診断やクリニカルパスのように、適用される検査の種別があらかじめ決定している場合についても同様に、あらかじめ指定された検査種別を参照して自動で指定することが可能である。
【０１４３】
また、複数の検査を行う場合において、検査の順序があらかじめ決定されている場合には、その順序にしたがって順次に検査を自動指定することが可能である。一方、検査の順序があらかじめ決定されていない場合には、複数の検査のリストをユーザに呈示することにより検査種別指定操作を容易化できる。単一の検査において複数の視標が用いられる場合についても同様である。
【０１４４】
画像信号生成部２０の記憶部２１には、検査種別と視標種別とが関連付けられた検査種別／視標種別関連情報があらかじめ記憶されている。この関連情報は、たとえば、各検査種別に対し、その検査種別において使用される（１つ以上の）視標を対応付けたテーブル情報である。
【０１４５】
［動作］
この実施形態に係る視標呈示装置１の動作について説明する。視標呈示装置１の動作例を図１４に示す。
【０１４６】
（Ｓ６１：検査種別の指定）
ユーザが操作部１０を用いて検査種別を指定すると、操作部１０は、指定された検査種別を示す操作信号を画像信号生成部２０に送る。
【０１４７】
（Ｓ６２：画像信号の生成）
画像信号生成部２０は、操作部１０から入力された操作信号が示す検査種別に対応する視標を、検査種別／視標種別関連情報に基づいて特定する。更に、画像信号生成部２０は、特定された視標種別に対応する視標呈示用画像信号を生成する。この視標呈示用画像信号には、この視標種別に対応する表示輝度を示す表示輝度情報が含まれている。画像信号生成部２０は、生成された視標呈示用画像信号を制御部３０に送る。
【０１４８】
（Ｓ６３：画像信号の解析）
信号解析部３１は、画像信号生成部２０から入力された視標呈示用画像信号を解析して表示輝度情報を抽出する（或いは、表示輝度情報の有無を判定する）。信号解析部３１は、抽出された表示輝度情報（或いは、表示輝度情報の有無を示す情報）をバックライト制御部３３に送る。
【０１４９】
（Ｓ６４：表示輝度の変更）
バックライト制御部３３は、信号解析部３１から入力された情報に基づいてバックライト部４３を制御することにより、表示部４０の表示輝度を変更する。
【０１５０】
（Ｓ６５：視標の描画）
ステップ６３及びステップ６４と並行して、描画制御部３２は、画像信号生成部２０から入力された視標呈示用画像信号に基づいて表示部４０の描画部４２を制御することにより、当該視標のパターンを描画させる。
【０１５１】
以上で、この動作例による視標の表示輝度の変更処理は終了となる。ユーザは、このようにして呈示された視標を用いて被検眼の検査を実施する。
【０１５２】
なお、上記動作例は第１の実施形態において視標種別を指定する処理を、検査種別を指定する処理に置換したものである。この置換を第２〜第５の実施形態に適用することが可能である。その場合、この実施形態と同様の検査種別／視標種別関連情報が設けられる。
【０１５３】
［効果］
この実施形態に係る視標呈示装置１の効果について説明する。
【０１５４】
視標呈示装置１は、検査種別を指定する操作部１０（検査種別指定部）を有する。制御部３０は、指定された検査種別に対応する視標を表示部４０に表示させ、かつ、この検査種別に基づき表示部４０を制御して表示輝度を変更する。
【０１５５】
このような視標呈示装置１によれば、指定された検査種別に応じた左眼用の視標と右眼用の視標とを好適な明るさ（表示輝度）で呈示させることができる。よって、被検眼の検査を正確に行うことが可能である。
【０１５６】
〈第７の実施形態〉
第７の実施形態に係る視標呈示装置は、視標の種別以外の情報に基づいて表示輝度を変更するものであり、被検眼に対する光学部材（偏光部材）の適用の有無に応じて表示輝度を変更するように構成される。
【０１５７】
［構成］
この実施形態に係る視標呈示装置１の構成例を図１５に示す。この視標呈示装置１は、操作部１０、画像信号生成部２０、制御部３０及び表示部４０に加え、光学部６０を有する。
【０１５８】
光学部６０は、左右被検眼と表示部４０との間に配置され、特に、左右被検眼の直前位置に配置される。光学部６０には、各種の光学部材が設けられている。これら光学部材は、選択的に被検眼の直前位置に配置される。
【０１５９】
具体例として、光学部６０には左右のターレット板が設けられており、各ターレット板には複数の光学部材が嵌め込まれている。各ターレット板は手動又は電動で回転可能とされており、ユーザは各ターレット板を回転させることにより所望の光学部材を被検眼に適用することができる。手動での回転は、たとえば光学部６０に設けられた操作部材（ノブ、ダイヤル等）により行われる。電動での回転は、たとえば、操作部１０に設けられたハードウェアキー又はソフトウェアキーと、光学部６０に設けられたアクチュエーター（モーター等）と、操作部１０にて選択された光学部材に応じてアクチュエーターを制御する制御部３０とにより行われる。
【０１６０】
左眼用のターレット板には、左被検眼の直前位置に配置された状態において左眼用視標表示領域の偏光軸（第１の偏光軸）に平行な偏光軸を有する左眼用偏光部材６１Ｌが設けられている。同様に、右眼用のターレット板には、右被検眼の直前位置に配置された状態において右眼用視標表示領域の偏光軸（第２の偏光軸）に平行な偏光軸を有する右眼用偏光部材６１Ｒが設けられている。左眼用偏光部材６１Ｌと右眼用偏光部材６１Ｒは、前述の高輝度呈示視標を用いて両眼開放状態での片眼検査又は両眼検査を行う場合に、左右被検眼に適用される。
【０１６１】
制御部３０は、左眼用偏光部材６１Ｌ及び右眼用偏光部材６１Ｒがそれぞれ左右被検眼の直前位置に配置されたことを検知する検知部３５を有する。検知部３５は、たとえば、光学部６０に設けられた位置センサを含んで構成される。この位置センサとしては、ターレット板の回転位置を検知するロータリーエンコーダーなどが用いられる。この構成は、特に、被検眼に適用する光学部材を手動で変更する場合に用いられる。一方、被検眼に適用する光学部材を電動で変更する場合、選択された光学部材を制御部３０は認識しているので、制御部３０を構成するマイクロプロセッサーが検知部３５として機能する。
【０１６２】
検知部３５は、左眼用偏光部材６１Ｌ及び右眼用偏光部材６１Ｒがそれぞれ左右被検眼の直前位置に配置されたことを検知すると、その旨を示す検知信号をバックライト制御部３３に送る。バックライト制御部３３は、検知部３５からの検知信号を受けたことに対応し、バックライト部４３を制御して表示輝度を上げる。
【０１６３】
一方、検知部３５は、左眼用偏光部材６１Ｌ及び右眼用偏光部材６１Ｒがそれぞれ左右被検眼の直前位置から退避されたことを検知すると、その旨を示す検知信号をバックライト制御部３３に送る。この検知信号を受けたバックライト制御部３３は、バックライト部４３を制御して表示輝度を下げる。
【０１６４】
なお、バックライト制御部３３は、左右被検眼の直前位置に対する左眼用偏光部材６１Ｌ及び右眼用偏光部材６１Ｒの挿脱だけでなく、視標種別又は検査種別の指定結果を考慮して表示輝度を制御するようにしてもよい。視標種別等の指定結果に基づく表示輝度の制御は、上記実施形態において説明した任意の手法を用いることができる。
【０１６５】
［動作］
（Ｓ７１：視標の指定）
ユーザが操作部１０を用いて視標を指定すると、操作部１０は、指定された視標の種別を示す操作信号を画像信号生成部２０に送る。
【０１６６】
（Ｓ７２：視標呈示用画像信号の生成）
画像信号生成部２０は、操作部１０から入力された操作信号に基づいて、この操作信号が示す視標の種別に対応する視標呈示用画像信号を生成する。画像信号生成部２０は、生成された視標呈示用画像信号を制御部３０に送る。
【０１６７】
（Ｓ７３：偏光部材の挿入）
ユーザは、視標種別の指定（Ｓ７１）と並行して、又はこれと前後して、左眼用偏光部材６１Ｌ及び右眼用偏光部材６１Ｒを左右被検眼の直前位置に配置させる。
【０１６８】
（Ｓ７４：偏光部材の挿入の検知）
検知部３５は、左眼用偏光部材６１Ｌ及び右眼用偏光部材６１Ｒが左右被検眼の直前位置に配置されたことを検知し、バックライト制御部３３に検知信号を送る。
【０１６９】
（Ｓ７５：表示輝度アップ）
検知信号を受けたバックライト制御部３３は、バックライト部４３を制御して表示部４０の表示輝度を上げる。
【０１７０】
（Ｓ７６：視標の描画）
描画制御部３２は、画像信号生成部２０から入力された視標呈示用画像信号に基づいて描画部４２を制御することにより、当該視標のパターンを描画させる。
【０１７１】
（Ｓ７７：検査の実施）
ユーザは、このようにして呈示された視標を用いて被検眼の検査を実施する。
【０１７２】
（Ｓ７８：偏光部材の退避）
この視標を用いた検査が終了したら、ユーザは、左眼用偏光部材６１Ｌ及び右眼用偏光部材６１Ｒを左右被検眼の直前位置から退避させる。
【０１７３】
（Ｓ７９：偏光部材の退避の検知）
検知部３５は、左眼用偏光部材６１Ｌ及び右眼用偏光部材６１Ｒが左右被検眼の直前位置から退避されたことを検知し、バックライト制御部３３に検知信号を送る。
【０１７４】
（Ｓ８０：表示輝度ダウン）
検知信号を受けたバックライト制御部３３は、バックライト部４３を制御して表示部４０の表示輝度を下げる。以上で、この動作例の説明を終了する。
【０１７５】
［効果］
この実施形態に係る視標呈示装置１の効果について説明する。
【０１７６】
視標呈示装置１は、表示部４０と、光学部６０と、制御部３０とを有する。光学部６０は、左眼用偏光部材６１Ｌと右眼用偏光部材６１Ｒとを有する。左眼用偏光部材６１Ｌは、表示部４０の左眼用視標表示領域の偏光軸と平行な偏光軸を有し、右眼用偏光部材６１Ｒは、右眼用視標表示領域の偏光軸と平行な偏光軸を有する。制御部３０は、表示部４０と被検眼との間の位置に対する左眼用偏光部材６１Ｌ及び右眼用偏光部材６１Ｒの挿脱に対応し、表示部４０を制御して表示輝度を変更する。
【０１７７】
上記のように、左眼用偏光部材６１Ｌと右眼用偏光部材６１Ｒは、高輝度呈示視標を用いて両眼開放状態での片眼検査又は両眼検査を行う場合に左右被検眼に適用される。この実施形態によれば、高輝度呈示視標が用いられるときに自動で表示輝度を上げることができるので、被検眼の検査を正確に行うことが可能である。
【０１７８】
〈第８の実施形態〉
第８の実施形態に係る視標呈示装置１は、第１〜第７の実施形態のように表示輝度を変更する代わりに、減光フィルタを用いることによって、被検者が視認する視標の明るさを変更するものである。なお、減光フィルタの使用／不使用は、第１〜第７の実施形態のいずれかのトリガーに基づいて、つまり視標の種別、検査の種別、又は被検眼に対する偏光部材の適用の有無に基づいて、決定される。
【０１７９】
［構成］
この視標呈示装置１は、第７の実施形態と同様に、操作部１０、画像信号生成部２０、制御部３０、表示部４０、及び光学部６０を有する。
【０１８０】
光学部６０には、それぞれ複数の光学部材を含む左眼用光学部材群６２Ｌと右眼用光学部材群６２Ｒとを有する。これら光学部材群６２Ｌ及び６２Ｒは、たとえばターレット板にそれぞれ設けられている。各光学部材群６２Ｌ及び６２Ｒに含まれる複数の光学部材は、被検眼に対して選択的に適用可能である。被検眼に適用する光学部材を選択するための構成は、第７の実施形態で説明した電動駆動用の構成を有する。つまり、光学部６０は、各光学部材群６２Ｌ及び６２Ｒに含まれる複数の光学部材を被検眼に選択的に適用するためのアクチュエーター（モーター等）を有する。
【０１８１】
左眼用光学部材群６２Ｌには、第７の実施形態と同様の左眼用偏光部材と、左眼用減光部材とが含まれている。右眼用光学部材群６２Ｒには、第２の実施形態と同様の右眼用偏光部材と、右眼用減光部材とが設けられている。各減光部材は、たとえば減光フィルタにより構成されている。左眼用偏光部材と左眼用減光部材は、左被検眼に対して同時に適用することができる。同様に、右眼用偏光部材と右眼用減光部材は、右被検眼に対して同時に適用することができる。この同時適用は、たとえば、偏光部材と減光部材とを、平行配置された異なるターレット板に装着し、各ターレット板を個別に制御することによって実現できる。
【０１８２】
制御部３０には、信号解析部３１と、描画制御部３２と、光学制御部３６とが設けられている。信号解析部３１と描画制御部３２は、第１〜第７の実施形態と同様の機能を有する。光学制御部３６は、光学部６０のアクチュエーターを制御し、各光学部材群６２Ｌ及び６２Ｒに含まれる複数の光学部材を被検眼に選択的に適用させる。
【０１８３】
なお、第１〜第７の実施形態で説明した、信号解析部３１、バックライト制御部３３、受信部３４、及び検知部３５のうちの１つ以上を任意に設けることが可能である。バックライト制御部３３を設ける場合、被検眼の直前位置に対する減光部材の挿脱と、表示部４０の表示輝度の制御との双方を用いて、被検者が視認する視標の明るさを変更するように構成することが可能である。また、透過率の異なる複数の減光部材を選択的に被検眼に適用可能に構成してもよい。その場合、たとえば視標種別又は検査種別の指定結果に応じて光学制御部３６が減光部材の選択を行う。
【０１８４】
［動作］
この実施形態に係る視標呈示装置１の動作について説明する。視標呈示装置１の動作例を図１８に示す。以下、第１の実施形態に類似した動作例を説明するが、第２〜第７の実施形態の動作を準用することも可能である。
【０１８５】
（Ｓ８１：視標の指定）
ユーザが操作部１０を用いて視標を指定すると、操作部１０は、指定された視標の種別を示す操作信号を画像信号生成部２０に送る。
【０１８６】
（Ｓ８２：画像信号の生成）
画像信号生成部２０は、操作部１０から入力された操作信号に基づいて、この操作信号が示す視標の種別に対応する視標呈示用画像信号を生成する。この視標呈示用画像信号には、減光部材の適用の有無を示す減光情報が含まれている。減光情報は、たとえば、視標種別と、減光部材の適用の有無とが関連付けられた視標種別／減光関連情報を参照することで生成される。この視標種別／減光関連情報は、図示しない記憶部にあらかじめ記憶される。画像信号生成部２０は、生成された視標呈示用画像信号を制御部３０に送る。
【０１８７】
（Ｓ８３：画像信号の解析）
信号解析部３１は、画像信号生成部２０から入力された視標呈示用画像信号を解析して減光情報を抽出する。信号解析部３１は、抽出された減光情報を光学制御部３６に送る。
【０１８８】
（Ｓ８４：偏光部材・減光部材の挿入／退避）
光学制御部３６は、信号解析部３１から入力された減光情報に基づいて光学部６０（アクチュエーター）を制御することにより、左眼用偏光部材及び左眼用減光部材を左被検眼の直前位置に挿入又は当該直前位置から退避させ、右眼用偏光部材及び右眼用減光部材を右被検眼の直前位置に挿入又は当該直前位置から退避させる。ここで、減光情報が減光部材の適用有りを示す場合、光学制御部３６は偏光部材及び減光部材を挿入させる。逆に、減光情報が減光部材の適用無しを示す場合、光学制御部３６は偏光部材及び減光部材を退避させる。
【０１８９】
（Ｓ８５：視標の描画）
ステップ８３及びステップ８４と並行して、描画制御部３２は、画像信号生成部２０から入力された視標呈示用画像信号に基づいて表示部４０の描画部４２を制御することにより、当該視標のパターンを描画させる。
【０１９０】
以上で、この動作例は終了となる。ユーザは、このようにして呈示された視標を用いて被検眼の検査を実施する。なお、検査種別に応じて偏光部材及び減光部材の挿脱を行う構成や、被検眼に対する偏光部材の適用の有無に応じて偏光部材及び減光部材の挿脱を行う構成を採用する場合には、対応する上記実施形態に準じて目的の処理が実行される。
【０１９１】
［効果］
この実施形態に係る視標呈示装置１の効果について説明する。
【０１９２】
視標呈示装置１は、表示部４０と、光学部６０と、制御部３０とを有する。光学部６０は、左眼用偏光部材と、右眼用偏光部材と、左眼用減光部材と、右眼用減光部材とを含む複数の光学部材を、表示部４０と被検眼との間の位置に選択的に配置可能である。左眼用偏光部材は、表示部４０の左眼用視標表示領域の偏光軸と平行な偏光軸を有する。右眼用偏光部材は、右眼用視標表示領域の偏光軸と平行な偏光軸を有する。制御部３０は、表示部４０に複数の視標を選択的に表示させることが可能である。更に、制御部３０は、表示部４０に表示させる視標の種別に基づき光学部６０を制御して、左眼用偏光部材、右眼用偏光部材、左眼用減光部材及び右眼用減光部材を、表示部４０と被検眼との間の位置に挿入させるか、又は当該位置から退避させる。
【０１９３】
この実施形態によれば、被検者が視認する視標の明るさを視標種別に応じて自動的に変更することができるので、被検眼の検査を正確に行うことが可能である。
【０１９４】
被検者が視認する視標の明るさを検査種別に応じて自動的に変更する場合の構成を次に示す。この視標呈示装置は、表示部４０と、光学部６０と、検査種別指定部と、制御部３０とを有する。光学部６０は、視標種別に基づく場合と同様に構成される。検査種別指定部は、第６の実施形態と同様に構成される。制御部３０は、検査種別指定部により指定された検査種別に対応する視標を表示部４０に表示させる。更に、制御部３０は、この検査種別に基づき光学部６０を制御して、左眼用偏光部材、右眼用偏光部材、左眼用減光部材及び右眼用減光部材を、表示部４０と被検眼との間の位置に挿入させるか、又は当該位置から退避させる。
【０１９５】
この実施形態によれば、被検者が視認する視標の明るさを検査種別に応じて自動的に変更することができるので、被検眼の検査を正確に行うことが可能である。
【０１９６】
被検者が視認する視標の明るさを被検眼に対する偏光部材の適用の有無に応じて自動的に変更する場合の構成を次に示す。この視標呈示装置は、表示部４０と、光学部６０と、制御部３０とを有する。光学部６０は、視標種別に基づく場合と同様に構成される。制御部３０は、表示部４０と被検眼との間の位置に対する左眼用偏光部材及び右眼用偏光部材の挿脱に対応し、光学部６０を制御して、左眼用減光部材及び右眼用減光部材を表示部４０と被検眼との間の位置に挿入させるか、又は当該位置から退避させる。
【０１９７】
この実施形態によれば、被検者が視認する視標の明るさを被検眼に対する偏光部材の適用の有無に応じて自動的に変更することができるので、被検眼の検査を正確に行うことが可能である。
【０１９８】
なお、上記構成とは逆に、被検眼に対する減光部材の適用の有無に応じて偏光部材の挿入／退避を自動的に行うように構成することも可能である。
【０１９９】
以上に説明した構成は、この発明を実施するための一例に過ぎない。よって、この発明の要旨の範囲内における任意の変形（省略、置換、付加等）を適宜に施すことが可能である。
【符号の説明】
【０２００】
１  視標呈示装置
１０  操作部
１１  送信部
２０  画像信号生成部
２１  記憶部
２１ａ  視標／表示輝度関連情報
２１ｂ  視標／入力時間関連情報
２２  送信部
３０  制御部
３１  信号解析部
３２  描画制御部
３３  バックライト制御部
３３ａ  入力時間／表示輝度関連情報
３４  受信部
３５  検知部
３６  光学制御部
４０  表示部
４１  偏光部
４１ａ  第１の偏光領域
４１ｂ  第２の偏光領域
４２  描画部
４３  バックライト部
５０  表示デバイス
６０  光学部
６１Ｌ  左眼用偏光部材
６１Ｒ  右眼用偏光部材
６２Ｌ  左眼用光学部材群
６２Ｒ  右眼用光学部材群
【図１】
2018069088.tif 000003
【図２】
2018069088.tif 000004
【図３】
2018069088.tif 000005
【図４】
2018069088.tif 000006
【図５】
2018069088.tif 000007
【図６】
2018069088.tif 000008
【図７】
2018069088.tif 000009
【図８】
2018069088.tif 000010
【図９】
2018069088.tif 000011
【図１０】
2018069088.tif 000012
【図１１】
2018069088.tif 000013
【図１２】
2018069088.tif 000014
【図１３】
2018069088.tif 000015
【図１４】
2018069088.tif 000016
【図１５】
2018069088.tif 000017
【図１６】
2018069088.tif 000018
【図１７】
2018069088.tif 000019
【図１８】
2018069088.tif 000020